(57)【要約】 【課題】      故意または事故等を起因とする外力が働いても、切断や接触不良を引き起こすことなく安定した接続状態を維持すると共に、安定した切換を行い得るコネクタを提供する。【解決手段】  差込動作により移動するインシュレータ２１と、インシュレータ２１の長手方向に設けられている第１導体部２２と、インシュレータ２１の移動に伴って第１導体部２２に接触または非接触する第２導体部１８と、ハウジング２０に設けられている第２ピン１２と、インシュレータ２１の移動に伴って第２ピン１２に接触または非接触すると共に第２導体部１８に導通されているフランジ１５と、第２導体部１８に導通されている第１ピン１１と、一端が第１ピン１１に保持されて差込方向に付勢されていると共に、他端がフランジ１５に係止めされて差込方向を軸とする回転方向に付勢されている弾性部材１７と、を備えて構成する。【選択図】  図１
2012169246.tif 000002
【特許請求の範囲】
【請求項１】
外部からの差込により切換え動作を行うコネクタであって、
前記差込により移動するインシュレータと、
前記インシュレータの長手方向に設けられている第１導体部と、
前記インシュレータの移動に伴って前記第１導体部に接触または非接触する第２導体部と、
当該コネクタのハウジングに設けられている第２ピンと、
前記インシュレータの移動に伴って前記第２ピンに接触または非接触すると共に前記第２導体部に導通されているフランジと、
前記第２導体部に導通されている第１ピンと、
一端が前記第１ピンに保持されて差込方向に付勢されていると共に、他端が前記フランジに係止めされて差込方向を軸とする回転方向に付勢されている弾性部材と、
を備えたことを特徴とするコネクタ。
【請求項２】
前記ハウジングは、該ハウジングの周回りにおいて前記第２ピンの設置位置を除く位置に内部方向に突起した突起部材を備え、
前記フランジは、前記第２ピンに対向する外周面に差込方向に掘られた第１溝部と、前記突起部材に対向する外周面に差込方向に掘られた第２溝部と、を備え、前記インシュレータの移動に伴って前記第１溝部の壁面が前記第２ピンと接触し、前記第２ピンと非接触のときには前記第２溝部の壁面が前記突起部材と接触していることを特徴とする請求項１に記載のコネクタ。
【請求項３】
前記フランジの第１溝部は、前記第１ピン側の端から一定距離部分の溝幅を等間隔とし、該一定距離を除く残り部分の溝幅を前記第１ピンと反対方向側に徐々に拡がるようにしたことを特徴とする請求項２に記載のコネクタ。
【請求項４】
前記ハウジングは、該ハウジングの周回りにおいて前記第２ピン及び前記突起部材の設置位置を除く位置に第３ピンを備え、
前記フランジは、前記第３ピンに対向する外周面に差込方向に掘られた第３溝部を備え、前記インシュレータの移動に伴って前記第３溝部の壁面が前記第３ピンと接触することを特徴とする請求項２または請求項３の何れか１項に記載のコネクタ。
【請求項５】
前記フランジの第３溝部は、前記第１ピン側の端から一定距離の位置から所定距離部分の溝幅を等間隔とし、該所定距離を除く残り部分の溝幅を前記第１ピン側及び該第１ピンと反対方向側にそれぞれ徐々に拡がるようにしたことを特徴とする請求項４に記載のコネクタ。
【請求項６】
前記第３ピンの前記ハウジングにおける長手方向の位置が前記第２ピンの位置と略同一であり、前記フランジの第３溝部は、前記第１ピン側の端から一定距離部分の溝幅を等間隔とし、該一定距離を除く残り部分の溝幅を前記第１ピンと反対方向側に徐々に拡がるようにしたことを特徴とする請求項４に記載のコネクタ。
【発明の詳細な説明】
【技術分野】
【０００１】
本発明は、故意または事故等を起因とする外力が働いても、切断や接触不良を引き起こすことなく安定した接続状態を維持すると共に、安定した切換を行い得るコネクタに関する。
【背景技術】
【０００２】
スイッチ機能を備えたコネクタの適用分野として、例えば、携帯電話、基地局装置、無線ＬＡＮ装置、遠隔計測装置等がある。すなわち、これら装置は内蔵アンテナ及び外部アンテナを備えており、通信環境に応じて内蔵アンテナまたは外部アンテナを切換えて使用するためのスイッチ機能を備えたコネクタが必要となる（例えば、特開２０１０−２７８００７号公報参照）。特に、携帯電話等に適用する場合には、小型化が可能で、プリント基板上への取り付けが容易で、しかも簡単な構造を具備すると共にノイズの少ないコネクタが望まれている。
【０００３】
図１１及び図１２には、このような従来のスイッチ機能を備えたコネクタの構成図を示す。図１１及び図１２において、この従来のコネクタ１０１は、外部からの差込により切換え動作を行うものであって、差込により移動するインシュレータ１２１と、該インシュレータ１２１の長手方向に設けられている第１導体部１２２と、インシュレータ１２１の移動に伴って第１導体部１２２に接触または非接触する第２導体部１１８，１１６と、コネクタ１０１のハウジング１２０に設けられている第２ピン１１２と、インシュレータ１２１の移動に伴って第２ピン１１２に接触または非接触すると共に第２導体部１１８，１１６に導通されているフランジ１１５と、第２導体部１１８，１１６に導通されている第１ピン１１１と、第１ピン１１１に保持され差込方向に付勢している弾性部材１１７と、を備えた構成である。
【０００４】
図１１は、外部アンテナ１０７が差込まれておらず、コネクタ１０１によってメイン回路１０３に内蔵アンテナ１０５が接続されている状態を示す。すなわち、この状態では、コネクタ１０１において、フランジ１１５が弾性部材１１７の弾性力により第２ピン１１２と接触する。これにより、内蔵アンテナ１０５、第２ピン１１２、フランジ１１５、第２導体部１１８，１１６、第１ピン１１１、メイン回路１０３の電気的導通経路が形成され、内蔵アンテナ１０５がメイン回路１０３に電気的に接続されることとなる。
【０００５】
また図１２は、外部アンテナ１０７が差込まれて、コネクタ１０１によってメイン回路１０３に外部アンテナ１０７が接続されている状態を示す。すなわち、この状態では、外部アンテナ１０７が差込まれることによりインシュレータ１２１がフランジ１１５方向に移動し、フランジ１１５が第２ピン１１２と非接触となると共に、インシュレータ１２１の第１導体部１２２が第２導体部１１８，１１６と接触する。これにより、外部アンテナ１０７、第１導体部１２２、第２導体部１１８，１１６、第１ピン１１１、メイン回路１０３の電気的導通経路が形成され、外部アンテナ１０７がメイン回路１０３に電気的に接続されることとなる。
【先行技術文献】
【特許文献】
【０００６】
【特許文献１】特開２０１０−２７８００７号公報
【発明の概要】
【発明が解決しようとする課題】
【０００７】
しかしながら、上述した従来技術では、コネクタ１０１によってメイン回路１０３に内蔵アンテナ１０５が接続されている状態において、フランジ１１５と第２ピン１１２との接触が弾性部材１１７の差込方向の弾性力によるものであるため、操作者や外部物体等からインシュレータ１２１に対して故意または事故等を起因とする力が働いた場合には、フランジ１１５と第２ピン１１２とが非接触（メイン回路１０３と内蔵アンテナ１０５が切断状態）となるなど、接触不良となるおそれがあった。
【０００８】
また、外部アンテナ１０７が差込まれていない状態から外部アンテナ１０７が差込まれた状態へ移行する途中段階、即ち外部アンテナ１０７の差込み動作を開始してからインシュレータ１２１が完全に嵌合されるまでの段階では、フランジ１１５と第２ピン１１２とが非接触であると共に、インシュレータ１２１の第１導体部１２２と第２導体部１１８，１１６とが非接触であるので、メイン回路１０３には内蔵アンテナ１０５及び外部アンテナ１０７の何れも接続されていない状態となる。また、外部アンテナ１０７が差込まれた状態から外部アンテナ１０７が差込まれていない状態へ移行する途中段階でも同様である。したがって、内蔵アンテナ１０５または外部アンテナ１０７の切換動作において、送受信が中断する期間が存在するという事情もあった。
【０００９】
本発明は、上記従来の事情に鑑みてなされたものであって、故意または事故等を起因とする外力が働いても、切断や接触不良を引き起こすことなく安定した接続状態を維持し得るコネクタを提供することを目的としている。
【００１０】
また、本発明の他の目的は、切換動作において何れにも接続されない状態を無くし、安定した切換を行い得るコネクタを提供することにある。
【課題を解決するための手段】
【００１１】
上記課題を解決するために、本発明に係るコネクタは、外部からの差込により切換え動作を行うコネクタであって、前記差込により移動するインシュレータと、前記インシュレータの長手方向に設けられている第１導体部と、前記インシュレータの移動に伴って前記第１導体部に接触または非接触する第２導体部と、当該コネクタのハウジングに設けられている第２ピンと、前記インシュレータの移動に伴って前記第２ピンに接触または非接触すると共に前記第２導体部に導通されているフランジと、前記第２導体部に導通されている第１ピンと、一端が前記第１ピンに保持されて差込方向に付勢されていると共に、他端が前記フランジに係止めされて差込方向を軸とする回転方向に付勢されている弾性部材と、を備えたことを特徴とする。
【００１２】
また、本発明に係るコネクタにおいて、前記ハウジングは、該ハウジングの周回りにおいて前記第２ピンの設置位置を除く部分に内部方向に突起した突起部材を備え、前記フランジは、前記第２ピンに対向する外周面に差込方向に掘られた第１溝部と、前記突起部材に対向する外周面に差込方向に掘られた第２溝部と、を備え、前記インシュレータの移動に伴って前記第１溝部の壁面が前記第２ピンと接触し、前記第２ピンと非接触のときには前記第２溝部の壁面が前記突起部材と接触していることを特徴とする。
【００１３】
また、本発明に係るコネクタにおいて、前記フランジの第１溝部は、前記第２ピン側の端から一定距離部分の溝幅を等間隔とし、該一定距離を除く残り部分の溝幅を前記第１ピンと反対方向側に徐々に拡がるようにしたことを特徴とする。
【００１４】
また、本発明に係るコネクタにおいて、前記ハウジングは、該ハウジングの周回りにおいて前記第２ピン及び前記突起部材の設置位置を除く位置に第３ピンを備え、前記フランジは、前記第３ピンに対向する外周面に差込方向に掘られた第３溝部を備え、前記インシュレータの移動に伴って前記第３溝部の壁面が前記第３ピンと接触することを特徴とする。
【００１５】
また、本発明に係るコネクタにおいて、前記フランジの第３溝部は、前記第１ピン側の端から一定距離の位置から所定距離部分の溝幅を等間隔とし、該所定距離を除く残り部分の溝幅を前記第１ピン側及び該第１ピンと反対方向側にそれぞれ徐々に拡がるようにしたことを特徴とする。
【００１６】
さらに、本発明に係るコネクタにおいて、前記第３ピンの前記ハウジングにおける長手方向の位置が前記第２ピンの位置と略同一であり、前記フランジの第３溝部は、前記第１ピン側の端から一定距離部分の溝幅を等間隔とし、該一定距離を除く残り部分の溝幅を前記第１ピンと反対方向側に徐々に拡がるようにしたことを特徴とする。
【発明の効果】
【００１７】
本発明に係るコネクタによれば、外部から差込まれていない状態において、弾性部材の差込方向を軸とする回転方向の弾性力によってフランジと第２ピンとを接触させることとしたので、故意または事故等を起因とする外力が働いても、切断や接触不良を引き起こすことなく安定した接続状態を維持し得るコネクタを提供することができる。
【図面の簡単な説明】
【００１８】
【図１】本発明の第１実施形態に係るコネクタの構成図（外部アンテナが差込まれていない状態）である。
【図２】本発明の第１実施形態に係るコネクタの構成図（外部アンテナが差込まれた状態）である。
【図３】コネクタにおけるフランジと第２ピンの接触状態を説明する説明図である。
【図４】コネクタにおけるフランジと第２ピンの非接触状態を説明する説明図である。
【図５】本発明の第２実施形態に係るコネクタの構成図（外部アンテナが差込まれていない状態）である。
【図６】本発明の第２実施形態に係るコネクタの構成図（外部アンテナが差込み途中の状態）である。
【図７】本発明の第２実施形態に係るコネクタの構成図（外部アンテナが差込まれた状態）である。
【図８】コネクタにおけるフランジと第２ピンの接触状態を説明する説明図である。
【図９】コネクタにおけるフランジと第３ピンの接触状態を説明する説明図である。
【図１０】コネクタにおけるフランジと第２ピン及び第３ピンの非接触状態を説明する説明図である。
【図１１】従来のコネクタの構成図（外部アンテナが差込まれていない状態）である。
【図１２】従来のコネクタの構成図（外部アンテナが差込まれた状態）である。
【発明を実施するための形態】
【００１９】
以下、本発明のコネクタの実施形態について、第１実施形態、第２実施形態の順に図面を参照して詳細に説明する。なお、以下の説明では、本発明を内蔵アンテナ及び外部アンテナを備えた装置に適用し、通信環境に応じて内蔵アンテナまたは外部アンテナを切換えて使用するためのスイッチ機能を備えたコネクタを例示するが、これに限定されるものではない。すなわち、外部から同軸ケーブル等が差込まれていない状態では、第１ピンに接続される回路に第２ピンに接続される第１の回路または第３ピンに接続される第３の回路を接続し、また、外部から同軸ケーブル等が差込まれた状態では、第１ピンに接続される回路に該同軸ケーブル等に接続される第２の回路を接続する態様のものであれば、どのようなものにも本発明を適用することができる。
〔第１実施形態〕
図１及び図２は本発明の第１実施形態に係るコネクタ１の構成図であり、該コネクタ１とメイン回路３、内蔵アンテナ５及び外部アンテナ７とのそれぞれの接続関係も示している。すなわち、コネクタ１の第１ピン１１はメイン回路３と、第２ピン１２は内蔵アンテナ５と、第１導体部２２は外部アンテナ７と、それぞれ接続されている。また、図１は、コネクタ１に外部から外部アンテナ７に接続されている同軸ケーブル等が差込まれていない状態で、コネクタ１を介してメイン回路３と内蔵アンテナ５が電気的に接続された状態を示しており、図２は、コネクタ１に同軸ケーブル等が差込まれた状態で、コネクタ１を介してメイン回路３と外部アンテナ７が電気的に接続された状態を示している。
【００２０】
図１及び図２において、本実施形態のコネクタ１は、外部から同軸ケーブル等の差込により切換え動作を行うコネクタであって、差込動作により移動するインシュレータ２１と、インシュレータ２１の長手方向に設けられている第１導体部２２と、インシュレータ２１の移動に伴って第１導体部２２に接触または非接触する第２導体部１８，１６と、当該コネクタ１のハウジング２０に設けられている第２ピン１２と、インシュレータ２１の移動に伴って第２ピン１２に接触または非接触すると共に第２導体部１８，１６に導通されているフランジ１５と、第２導体部１８，１６に導通されている第１ピン１１と、一端が第１ピン１１に保持されて差込方向に付勢されていると共に、他端がフランジ１５に係止めされて差込方向を軸とする回転方向に付勢されている弾性部材１７と、を備えて構成されている。
【００２１】
ここで、フランジ１５、第１ピン１１及び第２ピン１２の材質はそれぞれ導電性を持つ金属である。また、インシュレータ２１は樹脂及び金属で合成された絶縁体であり、内部に金属製のレセプタを注入して第１導体部２２を形成している。さらに、弾性部材１７は例えば導電性を持つ金属のばねであり、圧縮ばね及びねじりコイルばねの両方の特性を備えたものである。
【００２２】
また、図３及び図４は、それぞれ本実施形態のコネクタ１におけるフランジ１５と第２ピン１２の接触状態及び非接触状態を説明する説明図である。ここで、図３（ａ）は図１の線Ｇ−Ｇ’におけるコネクタ１の断面図であり、図３（ｂ）は図１におけるフランジ１５を下方から見た底面図である。また、図４（ａ）は図２の線Ｈ−Ｈ’におけるコネクタ１の断面図であり、図４（ｂ）は図２におけるフランジ１５を下方から見た底面図である。
【００２３】
図３及び図４に示すように、コネクタ１のハウジング２０は、該ハウジング２０の周回りにおいて第２ピン１２を除く位置（図１及び図２において上側）に、当該ハウジング２０の内部方向に突起した突起部材２３を備えた構造であり、また、フランジ１５は、第２ピン１２に対向する外周面（図１及び図２において下側となる面）に差込方向に掘られた第１溝部１５ａと、ハウジング２０の突起部材２３に対向する外周面（図１及び図２において上側となる面）に差込方向に掘られた第２溝部１５ｂと、を備えた構造である。
【００２４】
また、フランジ１５の第１溝部１５ａは、第１ピン１１側（図１及び図２において右側）の端から一定距離部分の溝幅を等間隔Ｄ１とし、該一定距離を除く残り部分の溝幅を第１ピン１１と反対方向側（図１及び図２において左側）に徐々に拡がるように形成され、フランジ１５の第２溝部１５ｂは等間隔の溝幅で形成されている。
【００２５】
図１及び図３を参照して、コネクタ１に外部から外部アンテナ７に接続されている同軸ケーブル等が差込まれていない状態について説明する。この状態では、コネクタ１において、フランジ１５は弾性部材１７の差込方向を軸とする回転方向の弾性力により第２ピン１２と接触する。つまり、フランジ１５には弾性部材１７の差込方向を軸とする回転方向の弾性力が常に加えられており、図３（ａ）において時計回りの方向に回転しようとする力が働いている。外部から差込まれていない状態では、第２ピン１２とフランジ１５の相対的位置関係は、図３（ｂ）に示すように第２ピン１２がフランジ１５の第１溝部１５ａの右端の位置（第１溝部１５ａの溝幅が等間隔Ｄ１の位置）にあって、第１溝部１５ａの壁面が第２ピン１２の側面と接触することとなる。この接触により、内蔵アンテナ５、第２ピン１２、フランジ１５、第２導体部１８，１６、第１ピン１１、メイン回路３の電気的導通経路が形成され、内蔵アンテナ５がメイン回路３に電気的に接続されることとなる。
【００２６】
なお、このとき、フランジ１５の第２溝部１５ｂの壁面がハウジング２０の突起部材２３の壁面と接触しないように、第２溝部１５ｂの位置及び溝幅が調整されているものとする。また、第２ピン１２の側面と第１溝部１５ａの壁面の接触は、弾性部材１７の差込方向を軸とする回転方向の弾性力によって安定して維持されるので、操作者や外部物体等からインシュレータ２１に対して故意または事故等を起因とする力が働いた場合でも、従来のように切断や接触不良を引き起こすことなく安定した接続状態を維持することができる。
【００２７】
次に、図２及び図４を参照して、コネクタ１に外部から外部アンテナ７に接続されている同軸ケーブル等が差込まれた状態について説明する。同軸ケーブル等が差込まれて嵌合された状態では、コネクタ１において、フランジ１５が第２ピン１２と非接触となると共に、インシュレータ２１の第１導体部２２が第２導体部１８，１６と接触する。つまり、この時の第２ピン１２とフランジ１５の相対的位置関係は、図４（ｂ）に示すように第２ピン１２がフランジ１５の第１溝部１５ａの左端の位置（第１溝部１５ａの溝幅が徐々に拡がって間隔Ｄ２に近い位置）にあって、第２ピン１２の側面は第１溝部１５ａの壁面と接触しないこととなる。一方、インシュレータ２１の第１導体部２２が第２導体部１８，１６と接触するので、外部アンテナ７、第１導体部２２、第２導体部１８，１６、第１ピン１１、メイン回路３の電気的導通経路が形成され、外部アンテナ７がメイン回路３に電気的に接続されることとなる。
【００２８】
なお、このときは、フランジ１５の第２溝部１５ｂの壁面がハウジング２０の突起部材２３の壁面と接触して、フランジ１５の時計回りの方向に回転しようとする力が止められることになる。このように、フランジ１５と第２ピン１２との非接触状態は、第２溝部１５ｂの壁面とハウジング２０の突起部材２３の壁面との接触が弾性部材１７の差込方向を軸とする回転方向の弾性力によって安定して維持されるので、操作者や外部物体等からインシュレータ２１に対して故意または事故等を起因とする力が働いた場合でも、不安定な接触状態を引き起こすことなく安定して非接続状態を維持することができる。
【００２９】
また、コネクタ１へ外部から同軸ケーブル等が差込まれ始めると、フランジ１５は右方向に移動するので、第２ピン１２とフランジ１５の相対的位置関係は、第２ピン１２がフランジ１５の右端に位置する図３（ｂ）の状態から、徐々に第２ピン１２がフランジ１５の左端に位置する図４（ｂ）の状態へと移行していく。この移行期間の内、第２ピン１２が第１溝部１５ａの溝幅が等間隔Ｄ１である右端から一定距離を相対的に移動する期間では、第２ピン１２の側面が第１溝部１５ａの壁面と接触しており、内蔵アンテナ５とメイン回路３の接続状態が維持される。
【００３０】
すなわち、コネクタ１へ外部から同軸ケーブル等が差込まれ始めても、差込が不十分でインシュレータ２１の第１導体部２２が第２導体部１８，１６と接触するに至っていない間は、内蔵アンテナ５とメイン回路３の接続状態が維持されることとなり、内蔵アンテナ５から外部アンテナ７への切換動作において送受信が中断する期間をほぼ無くすことができ、結果として、切換動作において何れにも接続されない状態を無くし、安定した切換を行い得るコネクタ実現することができる。
【００３１】
また、本実施形態のコネクタ１では、第１溝部１５ａの溝幅が等間隔Ｄ１である右端から一定距離の間の第２ピン１２の側面と第１溝部１５ａの壁面との摺動動作による副次的効果として、該接触面のクリーニング効果を見込むことができる。例えば、該接触面に粉塵等が付着して接触不良に至るおそれのあるケースでも、摺動動作によって付着物が取り除かれていくことが期待でき、結果として、接触不良を引き起こすことなく安定した接続状態を維持することができる。
〔第２実施形態〕
図５〜図７は本発明の第２実施形態に係るコネクタ４１の構成図であり、該コネクタ４１とメイン回路４３、第１内蔵アンテナ４５及び外部アンテナ４７とのそれぞれの接続関係も示している。すなわち、コネクタ４１の第１ピン５１はメイン回路４３と、第２ピン５２は第１内蔵アンテナ４５と、第１導体部６２は外部アンテナ４７と、それぞれ接続されている。また、図示しないが、第３ピン５３は第２内蔵アンテナ等の第３の回路と接続されている。
【００３２】
ここで、図５は、コネクタ４１に外部から外部アンテナ４７に接続されている同軸ケーブル等が差込まれていない状態で、コネクタ４１を介してメイン回路４３と第１内蔵アンテナ４５が電気的に接続された状態を示している。また、図６は、コネクタ４１に同軸ケーブル等が差込み途中の状態で、コネクタ４１を介してメイン回路４３と第２内蔵アンテナ等の第３の回路が電気的に接続された状態を示している。さらに、図７は、コネクタ４１に同軸ケーブル等が差込まれた状態で、コネクタ４１を介してメイン回路４３と外部アンテナ４７が電気的に接続された状態を示している。
【００３３】
図５〜図７において、本実施形態のコネクタ４１は、外部から同軸ケーブル等の差込により切換え動作を行うコネクタであって、差込動作により移動するインシュレータ６１と、インシュレータ６１の長手方向に設けられている第１導体部６２と、インシュレータ６１の移動に伴って第１導体部６２に接触または非接触する第２導体部５８，５６と、当該コネクタ４１のハウジング６０に設けられている第２ピン５２及び第３ピン５３と、インシュレータ６１の移動に伴って第２ピン５２に接触または非接触すると共に第２導体部５８，５６に導通されているフランジ５５と、第２導体部５８，５６に導通されている第１ピン５１と、一端が第１ピン５１に保持されて差込方向に付勢されていると共に、他端がフランジ５５に係止めされて差込方向を軸とする回転方向に付勢されている弾性部材５７と、を備えて構成されている。
【００３４】
ここで、フランジ５５、第１ピン５１、第２ピン５２及び第３ピン５３の材質はそれぞれ導電性を持つ金属である。また、インシュレータ６１は樹脂及び金属で合成された絶縁体であり、内部に金属製のレセプタを注入して第１導体部６２を形成している。さらに、弾性部材５７は例えば導電性を持つ金属のばねであり、圧縮ばね及びねじりコイルばねの両方の特性を備えたものである。
【００３５】
また、図８及び図９は、それぞれ本実施形態のコネクタ４１におけるフランジ５５と第２ピン５２及び第３ピン５３の接触状態を説明する説明図であり、図１０は、フランジ５５と第２ピン５２及び第３ピン５３の非接触状態を説明する説明図である。ここで、図８（ｂ）は図５の線Ｉ−Ｉ’におけるコネクタ４１の断面図であり、図８（ａ）は図５におけるフランジ５５を上方から見た上面図であり、図８（ｃ）はフランジ５５を下方から見た底面図である。また、図９（ｂ）は図６の線Ｊ−Ｊ’におけるコネクタ４１の断面図であり、図９（ａ）は図６におけるフランジ５５を上方から見た上面図であり、図９（ｃ）はフランジ５５を下方から見た底面図である。さらに、図１０（ｂ）は図７の線Ｋ−Ｋ’におけるコネクタ４１の断面図であり、図１０（ａ）は図７におけるフランジ５５を上方から見た上面図であり、図１０（ｃ）はフランジ５５を下方から見た底面図である。
【００３６】
図８〜図１０に示すように、コネクタ４１のハウジング６０は、該ハウジング６０の周回りにおいて第２ピン５２を除く位置（図５〜図７において奧側側面）に、当該ハウジング６０の内部方向に突起した突起部材６３を備えた構造であり、また、フランジ５５は、第２ピン５２に対向する外周面（図５〜図７において下側となる面）に差込方向に掘られた第１溝部５５ａと、第３ピン５３に対向する外周面（図５〜図７において上側となる面）に差込方向に掘られた第３溝部５５ｂと、ハウジング６０の突起部材６３に対向する外周面（図５〜図７において奧側となる面）に差込方向に掘られた第２溝部５５ｃと、を備えた構造である。
【００３７】
また、フランジ５５の第１溝部５５ａは、第１ピン５１側（図５〜図７において右側）の端から一定距離部分の溝幅を等間隔Ｄ１１とし、該一定距離を除く残り部分の溝幅を第１ピン５１と反対方向側（図５〜図７において左側）に徐々に拡げて、他端側で等間隔Ｄ１２となるように形成されている。また、フランジ５５の第３溝部５５ｂは、第１ピン５１側の端から一定距離の位置から所定距離部分の溝幅を等間隔Ｄ２１とし、該一定距離を除く残り部分の溝幅を第１ピン５１側及び該第１ピン５１と反対方向側にそれぞれ徐々に拡がるように形成されている。さらに、フランジ５５の第２溝部５５ｃは等間隔の溝幅で形成されている。
【００３８】
図５及び図８を参照して、コネクタ４１に外部から外部アンテナ４７に接続されている同軸ケーブル等が差込まれていない状態について説明する。この状態では、コネクタ４１において、フランジ５５は弾性部材５７の差込方向を軸とする回転方向の弾性力により第２ピン５２と接触する。つまり、フランジ５５には弾性部材５７の差込方向を軸とする回転方向の弾性力が常に加えられており、図８（ｂ）において時計回りの方向に回転しようとする力が働いている。
【００３９】
外部から差込まれていない状態では、第３ピン５３とフランジ５５の相対的位置関係について図８（ａ）を参照すると、第３ピン５３がフランジ５５の第３溝部５５ｂの右端にかかる位置にあって、第３溝部５５ｂの壁面と第３ピン５３の側面とは非接触となる。また他方で、第２ピン５２とフランジ５５の相対的位置関係について図８（ｃ）を参照すると、第２ピン５２がフランジ５５の第１溝部５５ａの右端の位置（第１溝部５５ａの溝幅が等間隔Ｄ１１の位置）にあって、第１溝部５５ａの壁面が第２ピン５２の側面と接触することとなる。この接触により、第１内蔵アンテナ４５、第２ピン５２、フランジ５５、第２導体部５８，５６、第１ピン５１、メイン回路４３の電気的導通経路が形成され、第１内蔵アンテナ４５がメイン回路４３に電気的に接続されることとなる。
【００４０】
なお、このとき、フランジ５５の第２溝部５５ｃの壁面がハウジング６０の突起部材６３の壁面と接触しないように、第２溝部５５ｃの位置及び溝幅が調整されているものとする。また、第２ピン５２の側面と第１溝部５５ａの壁面の接触は、弾性部材５７の差込方向を軸とする回転方向の弾性力によって安定して維持されるので、操作者や外部物体等からインシュレータ６１に対して故意または事故等を起因とする力が働いた場合でも、従来のように切断や接触不良を引き起こすことなく安定した接続状態を維持することができる。
【００４１】
次に、図６及び図９を参照して、コネクタ４１に外部から外部アンテナ４７に接続されている同軸ケーブル等が差込み途中にある状態について説明する。この状態では、コネクタ４１において、フランジ５５は弾性部材５７の差込方向を軸とする回転方向の弾性力により第３ピン５３と接触する。つまり、フランジ５５には弾性部材５７の差込方向を軸とする回転方向の弾性力が常に加えられており、図９（ｂ）において時計回りの方向に回転しようとする力が働いている。
【００４２】
外部から差込まれていない状態では、第２ピン５２とフランジ５５の相対的位置関係について図９（ｃ）を参照すると、第２ピン５２はフランジ５５の第１溝部５５ａが徐々に拡がる位置にあって、第１溝部５５ａの壁面と第２ピン５２の側面とは非接触となる。また他方で、第３ピン５３とフランジ５５の相対的位置関係について図９（ａ）を参照すると、第３ピン５３が第３溝部５５ｂの溝幅が等間隔Ｄ２３となる位置にあって、第３溝部５５ｂの壁面が第３ピン５３の側面と接触することとなる。この接触により、第３ピン５３、フランジ５５、第２導体部５８，５６、第１ピン５１、メイン回路４３の電気的導通経路が形成され、第３ピン５３に接続される第３の回路がメイン回路４３に電気的に接続されることとなる。
【００４３】
なお、このときは、第３ピン５３の側面と第３溝部５５ｂの壁面の接触は、弾性部材５７の差込方向を軸とする回転方向の弾性力によって安定して維持されるので、操作者や外部物体等からインシュレータ６１に対して故意または事故等を起因とする力が働いた場合でも、従来のように切断や接触不良を引き起こすことなく安定した接続状態を維持することができる。
【００４４】
次に、図７及び図１０を参照して、コネクタ４１に外部から外部アンテナ４７に接続されている同軸ケーブル等が差込まれた状態について説明する。同軸ケーブル等が差込まれて嵌合された状態では、コネクタ４１において、フランジ５５が第２ピン５２及び第３ピン５３とそれぞれ非接触となると共に、インシュレータ６１の第１導体部６２が第２導体部５８，５６と接触する。
【００４５】
外部から差込まれた状態では、第２ピン５２とフランジ５５の相対的位置関係について図１０（ｃ）を参照すると、第２ピン５２がフランジ５５の第１溝部５５ａの左端の位置（第１溝部５５ａの溝幅が等間隔Ｄ１２の位置）にあって、第２ピン５２の側面は第１溝部５５ａの壁面と接触しない。また、第３ピン５３とフランジ５５の相対的位置関係について図１０（ａ）を参照すると、第３ピン５３がフランジ５５の第３溝部５５ｂの左端側の位置（第３溝部５５ｂの溝幅が徐々に拡がる位置）にあって、第３ピン５３の側面は第３溝部５５ｂの壁面と接触しない。さらに他方で、インシュレータ６１の第１導体部６２が第２導体部５８，５６と接触するので、外部アンテナ４７、第１導体部６２、第２導体部５８，５６、第１ピン５１、メイン回路４３の電気的導通経路が形成され、外部アンテナ４７がメイン回路４３に電気的に接続されることとなる。
【００４６】
なお、このときは、フランジ５５の第２溝部５５ｃの壁面がハウジング６０の突起部材６３の壁面と接触して、フランジ５５の時計回りの方向に回転しようとする力が止められることになる。このように、フランジ５５と第２ピン５２及び第３ピン５３との非接触状態は、第２溝部５５ｃの壁面とハウジング６０の突起部材６３の壁面との接触が弾性部材５７の差込方向を軸とする回転方向の弾性力によって安定して維持されるので、操作者や外部物体等からインシュレータ６１に対して故意または事故等を起因とする力が働いた場合でも、不安定な接触状態を引き起こすことなく安定して非接続状態を維持することができる。
【００４７】
また、コネクタ４１へ外部から同軸ケーブル等が差込まれ始めると、フランジ５５は右方向に移動するが、この移動期間の内、第２ピン５２が第１溝部５５ａの溝幅が等間隔Ｄ１１である右端から一定距離を相対的に移動する期間では、第２ピン５２の側面が第１溝部５５ａの壁面と接触しており、第１内蔵アンテナ４５とメイン回路４３の接続状態が維持される。また、移動期間の内、第３ピン５３が第３溝部５５ｂの溝幅が等間隔Ｄ２３である所定距離を相対的に移動する期間では、第３ピン５３の側面が第３溝部５５ｂの壁面と接触しており、第３ピン５３に接続される第３の回路とメイン回路４３の接続状態が維持される。
【００４８】
すなわち、コネクタ４１へ外部から同軸ケーブル等が差込まれ始めても、差込が不十分でインシュレータ６１の第１導体部６２が第２導体部５８，５６と接触するに至っていない間は、第１内蔵アンテナ４５または第３ピン５３に接続される第３の回路とメイン回路４３の接続状態が維持されることとなり、第１内蔵アンテナ４５から外部アンテナ４７への切換動作において送受信が中断する期間をほぼ無くすことができ、結果として、切換動作において何れにも接続されない状態を無くし、安定した切換を行い得るコネクタ実現することができる。
【００４９】
また、本実施形態のコネクタ４１では、第１溝部５５ａの溝幅が等間隔Ｄ１１である一定距離の間の第２ピン５２の側面と第１溝部５５ａの壁面との摺動動作、並びに、第３溝部５５ｂの溝幅が等間隔Ｄ２３である所定距離の間の第３ピン５３の側面と第３溝部５５ｂの壁面との摺動動作、のそれぞれによる副次的効果として、それぞれの接触面のクリーニング効果を見込むことができる。例えば、該接触面に粉塵等が付着して接触不良に至るおそれのあるケースでも、摺動動作によって付着物が取り除かれていくことが期待でき、結果として、接触不良を引き起こすことなく安定した接続状態を維持することができる。
【００５０】
以上の説明では、本実施形態のコネクタ４１を、第１内蔵アンテナ４５または外部アンテナ４７を切換えるためのスイッチ手段として使用したが、第１内蔵アンテナ４５または第３ピンに接続される第３の回路（第２内蔵アンテナ）を切換えるためのスイッチ手段、或いは、第３の回路（第２内蔵アンテナ）または外部アンテナ４７を切換えるためのスイッチ手段として使用することも可能である。
【００５１】
すなわち、外部アンテナ４７が差込み途中の状態（図６及び図９参照）と、外部アンテナ４７が差込まれていない状態（図５及び図８参照）または外部アンテナ４７が差込まれた状態（図７及び図１０参照）との間を状態遷移させる利用形態である。一般に、外部アンテナ４７に接続される同軸ケーブルは当該コネクタ４１とネジ等で勘合されるため、外部アンテナ４７が差込み途中である状態をそのまま維持することが可能である。したがって、この利用形態は、第３の回路（第２内蔵アンテナ）を積極的に（一定期間にわたって）利用する形態であると言うことができる。
【００５２】
以上、本発明の実施形態について図面を参照して詳述したが、本発明はこれら実施形態およびその変形に限定されるものではなく、本発明の要旨を逸脱しない範囲の設計変更等があっても本発明に含まれる。例えば、第２実施形態において、ハウジング６０の長手方向における第２ピン５２及び第３ピン５３の位置をずらした構成としたが、第３ピン５３のハウジング６０における長手方向の位置を第２ピン５２の位置と略同一としても良い。但し、この場合、メイン回路４３には、第１内蔵アンテナ４５及び第３の回路（第２内蔵アンテナ）が同時に接続されることとなり、メイン回路４３側で同時接続に応じた処理が必要となる。また、この場合、第２ピン５２に対向するフランジ５５の第１溝部５５ａ、並びに第３ピン５３に対向するフランジ５５の第３溝部５５ｂは、第１実施形態における第１溝部１５ａと同等の形状とするのが望ましい。この変形態様によっても第２実施形態と同等の効果を奏することができる。
【符号の説明】
【００５３】
１，４１…コネクタ、３，４３…メイン回路、５，４５…内蔵アンテナ、７，４７…外部アンテナ、１１，５１…第１ピン、１２，５２…第２ピン、５３…第３ピン、１６，１８，５６，５８…第２導体部、１７，５７…弾性部材、２０，６０…ハウジング、２１，６１…インシュレータ、２２，６２…第１導体部、２３，６３…突起部材、１５ａ，５５ａ…第１溝部、１５ｂ，５５ｃ…第２溝部、５５ｂ…第３溝部
【図１】
2012169246.tif 000003
【図２】
2012169246.tif 000004
【図３】
2012169246.tif 000005
【図４】
2012169246.tif 000006
【図５】
2012169246.tif 000007
【図６】
2012169246.tif 000008
【図７】
2012169246.tif 000009
【図８】
2012169246.tif 000010
【図９】
2012169246.tif 000011
【図１０】
2012169246.tif 000012
【図１１】
2012169246.tif 000013
【図１２】
2012169246.tif 000014